(57)【要約】【課題】デッキ材の幅方向の膨張を充分に吸収することが可能なデッキ材固定具を提供することを目的とするものである。【解決手段】デッキ材固定具１０は、両側のデッキ材と当接し、デッキ材の膨張に応じて膨張方向に沿って変形して膨張を吸収する変形部１０１，１０２，１０４，１０５を備える。デッキ材固定具１０は、デッキ材の凹部に嵌まり合う。デッキ材の凹部と係合する爪部１５を備える。コイン落下防止部材を固定するために固定部１４を備える。変形部１０１，１０２，１０４，１０５は、可撓性を有する。【選択図】図２
2015086580.tif 000002
【特許請求の範囲】
【請求項１】
２つのデッキ材の間に配置されてデッキ材と係合し、根太に固定されるデッキ材固定具であって、
両側の前記デッキ材と当接し、前記デッキ材の膨張に応じて膨張方向に沿って変形して膨張を吸収する変形部を備えた、デッキ材固定具。
【請求項２】
前記デッキ材の凹部に嵌まり合う、請求項１に記載のデッキ材固定具。
【請求項３】
前記デッキ材の凹部と係合する爪部を備えた、請求項２に記載のデッキ材固定具。
【請求項４】
複数のデッキ材の間に配置される条部材を固定するために固定部を備えた、請求項１から３のいずれか１項に記載のデッキ材固定具。
【請求項５】
前記変形部は、可撓性を有する、請求項１から４のいずれか１項に記載のデッキ材固定具。
【請求項６】
前記変形部は、弾性部材を含む、請求項１から５のいずれか１項に記載のデッキ材固定具。
【発明の詳細な説明】
【技術分野】
【０００１】
この発明はデッキ材固定具に関して、より特定的には、根太に固定されるデッキ材固定具に関するものである。
【背景技術】
【０００２】
デッキ材を固定する金具は、たとえば特開２００８−３１７５７号公報（特許文献１）、特開２００７−３１４９４７号公報（特許文献２）、および特開２０１１−２３６６０１号公報（特許文献３）に開示されている。
【先行技術文献】
【特許文献】
【０００３】
【特許文献１】特開２００８−３１７５７号公報
【特許文献２】特開２００７−３１４９４７号公報
【特許文献３】特開２０１１−２３６６０１号公報
【発明の概要】
【発明が解決しようとする課題】
【０００４】
特許文献１ではデッキ材間の位置の取り決めのために、デッキ材側面部の形状に沿うように肉厚の壁板が設けられている構造が開示されている。
【０００５】
しかし、かかる構造ではデッキ材が水分または気温の変化により幅方向に膨張した場合には壁板を強く押し付けることとなり、固定金具と当接する部分に局所ストレスがかかってデッキ材にひびが入る場合がある。
【０００６】
また、このストレスによってデッキ面全体が押し合いへし合いになっているため、固定金具を基礎に固定しているビスを一本抜いても固定金具が強い力で挟まれているため、外したいデッキ材を一枚だけ外すことは容易ではない。
【０００７】
特許文献２では、膨張による圧力を吸収するため、隣接するデッキ材の位置を規定する爪を設け、デッキ材が膨張した場合には爪が変形することで圧力を吸収する構造を採用している。
【０００８】
しかし、この固定金具では固定用のビスを止める固定部が必要であり、左右対称構造のデッキ材には適していない。
【０００９】
特許文献３では、金具の長手方向中央に隙間があり、デッキ材が膨張し固定金具がデッキ材に押される際に中央の隙間が狭くなることによって膨張圧力を吸収する形状を採用している。
【００１０】
しかしながら、この固定具に記載の隙間程度では、膨張圧力を充分に吸収することができないと考えられる。
【００１１】
そこで、この発明は上記の課題を解決するためになされたものであり、デッキ材の幅方向の膨張を充分に吸収することが可能なデッキ材固定具を提供することを目的とするものである。
【課題を解決するための手段】
【００１２】
この発明に従ったデッキ材固定具は、２つのデッキ材の間に配置されてデッキ材と係合し、根太に固定されるデッキ材固定具であって、両側のデッキ材と当接し、デッキ材の膨張に応じて膨張方向に沿って変形して膨張を吸収する変形部を備える。
【００１３】
このように構成されたデッキ材固定具では、変形部がデッキ材の膨張に応じて膨張方向に沿って変形して膨張を吸収するため、大きな膨張であっても吸収することができ、デッキ材の幅方向の膨張を充分に吸収することが可能となる。
【００１４】
好ましくは、デッキ材固定具は、デッキ材の凹部に嵌まり合う。
好ましくは、デッキ材の凹部と係合する爪部を備える。
【００１５】
好ましくは、複数のデッキ材の間に配置される条部材を固定するために固定部を備える。
【００１６】
好ましくは、変形部は、可撓性を有する。
好ましくは、変形部は、弾性部材を含む。
【図面の簡単な説明】
【００１７】
【図１】実施の形態１に従ったデッキ材固定具が用いられるデッキ構造の分解斜視図である。
【図２】実施の形態１に従ったデッキ材固定具の斜視図である。
【図３】図２中の矢印ＩＩＩで示す方向から見たデッキ材固定具の正面図である。
【図４】デッキ材固定部に取り付けられるコイン落下防止材の断面図である。
【図５】デッキ材の間に挟まれたデッキ材固定具の正面図である。
【図６】実施の形態１に従ったデッキ材固定具の平面図である。
【図７】実施の形態１に従ったデッキ材固定具の側面図である。
【図８】実施の形態１に従ったデッキ材固定具の底面図である。
【図９】図６中のＩＸ−ＩＸ線に沿った端面図である。
【図１０】実施の形態１に従ったデッキ材固定具による取付方法を説明するための斜視図である。
【図１１】実施の形態２に従ったデッキ材固定具の変形部の底面図である。
【図１２】実施の形態３に従ったデッキ材固定具の変形部の底面図である。
【図１３】実施の形態４に従ったデッキ材固定具の変形部の底面図である。
【図１４】実施の形態５に従ったデッキ材固定具の斜視図である。
【発明を実施するための形態】
【００１８】
以下、この発明の実施の形態について、図面を参照して説明する。
(実施の形態１）
図１は、実施の形態１に従ったデッキ材固定具が用いられるデッキ構造の分解斜視図である。図１を参照して、デッキ構造１は、デッキ材２、根太３、根太用蓋５、束金物６、ビス７、デッキ材固定具１０を有する。デッキ材固定具１０は隣接するデッキ材２の間に介在してデッキ材２の溝にはまり合い、かつ、ビスにより根太３に固定される。
【００１９】
デッキ材２は、長手方向に延びており、幅方向には複数のデッキ材２が並べられている。各々のデッキ材２の長さおよび幅は等しくてもよく、異なっていてもよい。デッキ材２は、金属性および非金属性のいずれであってもよい。金属性のデッキ材２として、アルミニウム合金製のデッキ材２があり、非金属性のデッキ材２として、木製、プラスチック製、樹脂と木の複合材料製のデッキ材２がある。
【００２０】
デッキ材２の延びる方向と直交するように、根太３が延びている。根太３は、デッキ材２の荷重を支えるために金属性であることが好ましく、鋼製であることがより好ましい。この実施の形態では、中空角柱の根太３を採用している。根太３は、束金物６により支持されている。
【００２１】
根太３の側面４にもデッキ材２が取り付けられる。デッキ材２はビス７により根太３に固定される。根太３の端部開口は、根太用蓋５により封止される。
【００２２】
図２は、実施の形態１に従ったデッキ材固定具の斜視図である。図２を参照して、デッキ材固定具１０は、２つの板状部１１，１３と、板状部１１，１３をつなぐ連結部１２とを有する。
【００２３】
板状部１１，１３には、デッキ材２と係合する爪部１５が設けられている。爪部１５がデッキ材２の凹部と嵌まり合い、施工前の状態においてデッキ材２にデッキ材固定具１０が保持される。板状部１１，１３にはコイン落下防止部材を固定するための固定部１４が設けられている。固定部１４はフック形状であり、コイン落下防止部材を保持することが可能である。
【００２４】
連結部１２中央に貫通孔１２ａが設けられており、貫通孔１２ａの両側に突起１２ｂが配置されている。突起１２ｂは、連結部１２上に設けられる金属板を位置決めするためのものであり、貫通孔１２ａは、ビスによりデッキ材固定具１０を根太に固定するためのものである。
【００２５】
連結部１２の下方には中央脚部１０３が下方へ延在するように設けられている。中央脚部１０３の両側には、Ｘ形状の変形部１０１，１０２，１０４，１０５が設けられている。変形部１０１，１０２，１０４，１０５は、中央脚部１０３よりも剛性が低く、変形しやすい構造とされている。
【００２６】
デッキ材固定具１０は、望ましくは樹脂製であり金属よりも柔らかい材料で構成されている。そのため、金属製の固定具よりも変形しやすい。デッキ材固定具１０を金属で構成することも可能であるが、その場合であっても、変形部１０１，１０２，１０４，１０５は、中央脚部１０３よりも変形しやすい
図３は、図２中の矢印ＩＩＩで示す方向から見たデッキ材固定具の正面図である。図３を参照して、板状部１３の端面のうち、爪部１５が設けられる側の端面はＲ形状であるのに対して、爪部１５が設けられていない側の端面は矩形である。これは、爪部１５が設けられた端面をデッキ材の凹部へ挿入しやすくするためである。
【００２７】
突起１２ｂと固定部１４とが一直線上に並んでいる。固定部１４の先端近傍には凸部１４０が設けられており、この凸部１４０がコイン落下防止部材とかみ合う。
【００２８】
図４は、デッキ材固定部に取り付けられるコイン落下防止材の断面図である。図４を参照して、条部材としてのコイン落下防止部材２０は、弾性体により構成されており、隣接する２つのデッキ材２間に嵌め合わせられる。コイン落下防止部材２０の凹部２１と固定部１４の凸部１４０とが嵌まり合う。コイン落下防止部材２０は、デッキ材２間にコインが落下した場合にコインのさらなる落下を防止する。さらに、コイン落下防止部材２０は、上側からデッキ材固定具１０および根太３が見えることを防止する働きがある。
【００２９】
図５は、デッキ材の間に挟まれたデッキ材固定具の正面図である。図５を参照して、デッキ材固定具１０は、２つのデッキ材２の凹部２ａに嵌め合わせられる。板状部１３が凹部２ａに入り込んで爪部１５が凹部２ａの壁面に当接している。その結果、左側の凹部２ａから板状部１３が外れたとしても、右側の板状部１３が凹部２ａから外れることが無い。その結果、施工時にデッキ材固定具１０は常にデッキ材２に保持されることになる。変形部１０５の両側面がデッキ材２と当接している。変形部１０５はデッキ材２の厚み方向に沿って延在しているため、厚み方向の広い範囲において変形部１０５とデッキ材２とが接触している。他の変形部１０１，１０２，１０４も変形部１０５と同じようにデッキ材２と接触している。
【００３０】
変形部１０５は先細形状とされている。雨が降った場合には、デッキ材２の間のスリット（デッキ材固定具１０を嵌めこむ溝）や、デッキ材２とデッキ材固定具１０とが接触している部分で水が滞留する可能性があるが、その滞留を少なくして根太３へ水が流れやすくなるために変形部１０１，１０２，１０４，１０５が先細形状とされている。
【００３１】
図６は、実施の形態１に従ったデッキ材固定具の平面図である。図６を参照して、板状部１１，１３および連結部１２は、ともに矩形であるが、これに限定されるものではなく、板状部１１，１３および連結部１２の一部分に曲線状の形状が含まれていてもよい。さらに、デッキ材固定具１０の長手方向の端部に固定部１４および爪部１５が設けられているが、これに限定されずに端部以外に固定部１４および爪部が設けられていてもよい。固定部１４および爪部１５は、必ずしも設けられていなくてもよい。
【００３２】
図７は、実施の形態１に従ったデッキ材固定具の側面図である。図８は、実施の形態１に従ったデッキ材固定具の底面図である。図９は、図６中のＩＸ−ＩＸ線に沿った端面図である。
【００３３】
これらの図を参照して、各々の変形部１０１，１０２，１０４，１０５は同じ形状であるが、これらが互いに異なる形状であってもよい。貫通孔１２ａに対して変形部１０１，１０２，１０４，１０５は対称に配置されている。中央脚部１０３は下側へ近づくにつれて肉厚が薄くなる、テーパー形状である。
【００３４】
図１０は、実施の形態１に従ったデッキ材固定具による取付方法を説明するための斜視図である。図１０を参照して、連結部１２の突起１２ｂを金属性のプレート２１０の貫通孔２１２に嵌め合わせると共に、プレート２１０の貫通孔２１１および連結部１２の貫通孔１２ａにビス２２０を挿入し、ビス２２０の先端を根太３に螺合させる。このとき、板状部１１，１３は、ともにデッキ材２の凹部２ａに嵌合している。これにより、根太３にデッキ材固定具１０を取り付けることができる。
【００３５】
デッキ材固定具１０は、２つのデッキ材２の間に配置されてデッキ材２と係合し、根太３に固定されるデッキ材固定具１０であって、両側のデッキ材２と当接し、デッキ材２の膨張に応じて膨張方向に沿って変形して膨張を吸収する変形部１０１，１０２，１０４，１０５を備える。デッキ材固定具１０は、デッキ材２の凹部２ａに嵌まり合う。デッキ材２の凹部２ａと係合する爪部１５を備える。２つのデッキ材２の間に配置される条部材としてのコイン落下防止部材２０を固定するために固定部１４を備える。変形部１０１，１０２，１０４，１０５は、可撓性を有する。
【００３６】
このように構成されたデッキ材固定具１０では、コイン落下防止部材２０（目地材）とデッキ材固定具１０の両者に飛散防止対策となる形状を付与したことによって、施工後もコイン落下防止部材２０が飛散することがない。
【００３７】
さらに、デッキ材固定具１０の底面の形状を板状から断面Ｘ状にすることで、デッキ材２が幅方向に膨張してもデッキ材固定具１０の変形部１０１，１０２，１０４，１０５が変形することによって、デッキ材２の膨張時のストレスをデッキ材固定具１０が吸収するためデッキ材２本体が破壊されることが無い。そのため、従来品と比較してデッキ材固定具１０を取り外しやすくなり、外したいデッキ材２を一枚だけ外すことが容易となった。
【００３８】
さらにデッキ材２とコイン落下防止部材２０を同時に固定することができるデッキ材固定具１０を提供することができる。
【００３９】
(実施の形態２）
図１１は、実施の形態２に従ったデッキ材固定具の変形部の底面図である。図１１を参照して、実施の形態２に従ったデッキ材固定具の変形部１０５はＳ字状である点で、実施の形態１に従った変形部１０５と異なる。なお、複数の変形部の少なくともひとつがＳ字状であればよい。
【００４０】
(実施の形態３）
図１２は、実施の形態３に従ったデッキ材固定具の変形部の底面図である。図１２を参照して、実施の形態３に従ったデッキ材固定具の変形部１０５はジグザグ状である点で、実施の形態１に従った変形部１０５と異なる。なお、複数の変形部の少なくともひとつがジグザグ状であればよい。
【００４１】
(実施の形態４）
図１３は、実施の形態４に従ったデッキ材固定具の変形部の底面図である。図１３を参照して、実施の形態４に従ったデッキ材固定具の変形部１０５は樹脂部１０５ａと、ゴムまたは多孔性樹脂などからなる弾性部１０５ｂの２層構造である点で、実施の形態１に従った変形部１０５と異なる。なお、複数の変形部の少なくともひとつが２層構造であればよい。
【００４２】
(実施の形態５）
図１４は、実施の形態５に従ったデッキ材固定具の斜視図である。図１４を参照して、、実施の形態５に従ったデッキ材固定具の変形部１０１，１０２，１０４，１０５の厚みが一定で先細形状でない点で、実施の形態１に従った変形部１０５と異なる。なお、複数の変形部の少なくともひとつが厚み一定の構造であればよい。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４４】
１  デッキ構造、２  デッキ材、２ａ  凹部、３  根太、４  側面、５  根太用蓋、６  束金物、７，２２０  ビス、１０  デッキ材固定具、１１，１３  板状部、１２  連結部、１２ａ  貫通孔、１４  固定部、１５  爪部、２０  コイン落下防止部材、１０１，１０２，１０４，１０５  変形部、１０３  中央脚部。
【図１】
2015086580.tif 000003
【図２】
2015086580.tif 000004
【図３】
2015086580.tif 000005
【図４】
2015086580.tif 000006
【図５】
2015086580.tif 000007
【図６】
2015086580.tif 000008
【図７】
2015086580.tif 000009
【図８】
2015086580.tif 000010
【図９】
2015086580.tif 000011
【図１０】
2015086580.tif 000012
【図１１】
2015086580.tif 000013
【図１２】
2015086580.tif 000014
【図１３】
2015086580.tif 000015
【図１４】
2015086580.tif 000016